(57)【要約】【課題】手指や器具類の消毒作業の後に消毒した器具類を容易に搬入することができ、使用勝手を向上することができる消毒装置を提供する。【解決手段】作業装置１０００は、器具類を用いて作業を行うための囲い付きの作業台２００と、作業台に配置され作業者の手指と器具類を消毒するための消毒装置１とを有し、消毒装置は１、本体部２と、消毒剤Ｆを作製する消毒剤作製部と、本体部２内に配置されて手指と器具類に消毒剤作製部からの消毒剤Ｆを噴射するための噴射部２１，２２，１７１〜１７５とを有し、作業台２００と本体部２との間には、開口部６００が設けられ、開口部４００，５００を開閉するための開閉部材６００を有する。【選択図】図２
2014161702.tif 000002
【特許請求の範囲】
【請求項１】
器具類を用いて作業を行うための囲い付きの作業台と、
前記作業台に配置され作業者の手指と前記器具類を消毒剤により消毒するための消毒装置とを有し、
前記消毒装置は、
本体部と、
前記消毒剤を作製する消毒剤作製部と、
前記本体部内に配置されて、前記手指と前記器具類に前記消毒剤作製部からの前記消毒剤を噴射するための噴射部とを有し、
前記作業台と前記本体部との間には、開口部が設けられ、前記開口部を開閉するための開閉部材を有することを特徴とする作業装置。
【請求項２】
前記消毒剤作製部は、
薬剤を収容する薬剤収容部と、
希釈液を収容する希釈液収容部と、
前記薬剤収容部の前記薬剤と前記希釈液収容部の前記希釈液を送るための第１送液部と、
前記第１送液部により送られた前記薬剤を前記第１送液部により送られた前記希釈液により希釈することで得られる前記消毒剤を収容する消毒剤収容部と、
前記消毒剤収容部の前記消毒液を送るための第２送液部と、
前記第２送液部により送られた前記消毒剤を噴射する前記噴射部と、
を有することを特徴とする請求項１に記載の作業装置。
【請求項３】
前記本体部の前面側の開口部を開閉可能な前面開閉部材が設けられていることを特徴とする請求項１または２に記載の作業装置。
【請求項４】
前記本体部の前記噴射部から噴射された前記消毒剤を受けるための消毒剤受け部が、設けられていることを特徴とする請求項１ないし３のいずれかに記載の作業装置。
【請求項５】
前記希釈液収容部は前記希釈液としての水を収容しており、前記本体部は、前記水を純水にするカートリッジを有していることを特徴とする請求項１ないし４のいずれかに記載の作業装置。
【発明の詳細な説明】
【技術分野】
【０００１】
本発明は、囲い付きの作業台と、この作業台で実験や作業を行う際に手指および器具類を消毒するための消毒装置を備える作業装置に関する。
【背景技術】
【０００２】
作業者が、例えばクリーンベンチ等の作業台内で、器具類を用いて実験や作業を行おうとする場合には、作業者は、例えば無菌作業等の作業前に、消毒装置を用いて手指の消毒と作業台内に搬入しようとする器具類を消毒する必要がある。
【０００３】
このような消毒装置は、特許文献１に開示されており、この消毒装置は、消毒剤として電気分解生成水等の強酸性水等で処理した水を、半球凸面状のノズル先端から手指等に供給することで、消毒と殺菌ができるようになっている。
【先行技術文献】
【特許文献】
【０００４】
【特許文献１】特開平１０−７１１８８号公報
【発明の概要】
【発明が解決しようとする課題】
【０００５】
ところが、上述した特許文献１に記載の消毒装置では、予め調製済みの消毒剤を収容している給水タンクと、消毒に使用した使用済みの廃水を回収する廃水タンクを備えているだけであり、給水タンクからの消毒剤を、ノズル先端から手指等に供給する機能だけしかない。
【０００６】
このため、作業者は、給水タンクの消毒剤を使ってしまうと、作業者が消毒剤を調製して給水タンクに注入しなければならず、消毒剤の調製作業と注入作業が煩わしい。しかも、消毒装置で消毒した手指や器具類は、消毒装置からは離れた位置にある作業台へ持って行って搬入する必要がある。このため、消毒装置の使用勝手とその後の作業台への器具の搬入作業性が悪い。
【０００７】
本発明は、上記に鑑みてなされたもので、その目的とするところは、手指や器具類の消毒作業の後に消毒した器具類を容易に搬入することができ、使用勝手を向上することができる作業装置を提供することにある。
【課題を解決するための手段】
【０００８】
上記課題を達成するため、請求項１に記載の作業装置は、器具類を用いて作業を行うための囲い付きの作業台と、前記作業台に配置され作業者の手指と前記器具類を消毒するための消毒装置とを有し、前記消毒装置は、本体部と、前記本体部内に配置されて、前記消毒剤を作製する消毒剤作製部と、前記本体部内に配置されて、前記手指と前記器具類に前記消毒剤作製部からの前記消毒剤を噴射するための噴射部とを有し、前記作業台と前記本体部との間には、開口部が設けられ、前記開口部を開閉するための開閉部材を有することを要旨とする。
【０００９】
請求項１に記載の作業装置では、作業者は、消毒装置の本体部内にて手指や器具類を入れることで、消毒を行うことができ、消毒済みの器具類は、作業台の内部から作業台と前記本体部との間の開口部を通じて、消毒装置の本体部内に手を入れて本体部内にある消毒済みの器具類を作業台内に搬入することができる。これにより、手指や器具類の消毒作業の後に消毒した器具類を容易に搬入することができ、使用勝手を向上することができる。このため、消毒装置の使用勝手とその後の作業台への器具の搬入作業性が良い。
【００１０】
請求項２に記載の作業装置では、前記消毒剤作製部は、薬剤を収容する薬剤収容部と、希釈液を収容する希釈液収容部と、前記薬剤収容部の前記薬剤と前記希釈液収容部の前記希釈液を送るための第１送液部と、前記第１送液部により送られた前記薬剤を前記第１送液部により送られた前記希釈液により希釈することで得られる前記消毒剤を収容する消毒剤収容部と、前記消毒剤収容部の前記消毒液を送るための第２送液部と、前記第２送液部により送られた前記消毒剤を噴射する前記噴射部と、を有する。
【００１１】
請求項２に記載の作業装置では、本体部では、薬剤収容部の薬剤と希釈液収容部の希釈液を混合することで、予め定めた消毒剤を作って消毒剤収容部にこの消毒剤を収容しておくことができる。そして、消毒剤は、噴射部から手指や器具類に噴射することで消毒できる。薬剤と希釈液を用意して薬剤収容部と希釈液収容部にそれぞれ収容しておけば、作業者が直接消毒剤を作る必要が無く、手指や器具類の消毒作業を行う際の使用勝手を向上することができる。
【００１２】
請求項３に記載の作業装置では、前記本体部の前面側の開口部を開閉可能な前面開閉部材が設けられている。
【００１３】
請求項３に記載の作業装置では、本体部の前面側の開口部は、前面開閉部材により開けることで、作業者の手指や器具類は、開口部を通じて本体部内に入れて消毒をすることができる。手指や器具類を消毒しない場合には、前面側の開口部は、前面開閉部材により閉じておくことで、本体部の内部は、ほこりなどが入らないように清潔に維持することができる。
【００１４】
請求項４に記載の作業装置では、前記本体部の前記噴射部から噴射された前記消毒剤を受けるための消毒剤受け部が、設けられている。
【００１５】
請求項４に記載の作業装置では、使用済みの消毒剤は、消毒剤受け部により受けることで、消毒剤が周囲や床面に飛び散ることが無くなるので、飛び散った消毒剤を拭き取る作業が不要になる。
【００１６】
請求項５に記載の作業装置では、前記希釈液収容部は前記希釈液としての水を収容しており、前記本体部は、前記水を純水にするカートリッジを有している。
【００１７】
請求項５に記載の作業装置では、カートリッジは、水を純水に変えることができるので、通常の水道水などの水を希釈液として使用できる。
【発明の効果】
【００１８】
本発明によれば、手指や器具類の消毒作業の後に消毒した器具類を容易に搬入することができ、使用勝手を向上することができる作業装置を提供できる。
【図面の簡単な説明】
【００１９】
【図１】本発明の作業装置の実施形態を示す斜視図である。
【図２】図１の消毒装置と作業台の連結部分を示す一部断面部を有する正面図である。
【図３】図３は、図２に示す消毒装置を示す一部断面を有する側面図である。
【図４】図１から図３に示す本体部に配置されているシステムの構成例を示す図である。
【図５】作業装置の消毒装置を用いて、作業者の手指や実験器具等の器具類を消毒して、作業装置の作業台により作業する手順の例図である。
【発明を実施するための形態】
【００２０】
以下、図面を用いて、本発明を実施するための形態(以下、実施形態と称する)を説明する。
【００２１】
図１は、本発明の作業装置の実施形態を示す斜視図である。
【００２２】
図１に示すように、作業装置１０００は、囲い付きの作業台２００と、この作業台２００で実験や作業を行う際に作業者の手指および器具類を消毒するための消毒装置１と、を備える。消毒装置１は、例えば囲い付きの作業台２００の右側に機械的に連結することで、消毒装置１と作業台２００は、一体化されている。
【００２３】
作業装置１０００としては、消毒装置１と作業台２００とは別々に製造して、製造後にあるいは実際に使用する施設に搬入後に、消毒装置１と作業台２００とを機械的に連結することができる構造を採用すれば、消毒装置１と作業台２００は製造現場では別々に製造でき、搬送時にも別々に搬送できるメリットがある。しかし、作業装置１０００の消毒装置１と作業台２００は、製造時に一体物として製造しても良い。
【００２４】
この消毒装置１は、作業者が囲い付きの作業台２００を使用して、例えば微生物等の試料の無菌操作作業を行う際に、この作業に先立って作業者の手指や器具類を、例えば７０％アルコール水溶液を用いて消毒するのに用いられる。
【００２５】
この作業台２００としては、例えば所謂クリーンベンチや安全キャビネット等である。これらの作業台は、被処理物を作業空間において処理する際に、作業者が被処理物の影響を受けないように作業空間を隔離する構造を有している。図１に示す例では、作業台２００は、クリーンベンチである。クリーンベンチとは、規定の空気清浄度を保つようにした囲い付きの作業台である。
【００２６】
また、安全キャビネットとは、研究者や実験者を有害微生物等から保護することを目的とした局所排気装置で、病原体や有害微生物や物質あるいは危険微生物や物質（以下、単に有害微生物ともいう）の封じ込め機能と排気機能を有した囲われた作業空間を持っている。
【００２７】
消毒装置１は、作業台２００において作業を行う際に用いる器具類と、作業者の手指から腕までの範囲を消毒するために用いられる、いわゆる作業台２００に対して設けられるパスボックスである。
【００２８】
図２は、図１の消毒装置１と作業台２００の連結部分を示す一部断面部を有する正面図である。図３は、図２に示す消毒装置１を示す一部断面を有する側面図である。
【００２９】
図１と図２に示すように、消毒装置１は、作業台２００と連結することで一体的な構造体になっている。この消毒装置１は、図１と図２に例示するように、作業台２００の右側の壁面２１２に対して連結されており、消毒装置１と作業台２００は、生物実験や化学実験等の研究、作業を行う作業装置１０００を構成している。図２と図３に示す消毒装置１の本体部２と作業台２００は、好ましくはステンレスやアルミニウム等の金属製の箱型の部材である。
【００３０】
図１と図３に示すように、消毒装置１の本体部２は、上面部１１と、底面部１２と、左右の側面部１３，１４と、前面部１５と、背面部１６を有している。図２と図３で示すＸ方向は、本体部２の幅方向であり、Ｙ方向は、本体部２の奥行方向であり、Ｚ方向は、本体部２の上下方向である。
【００３１】
ここで、図１と図２を参照して、作業台２００の構造例を説明する。
【００３２】
図１に示すクリーンベンチである作業台２００は、箱状の囲い部分２０１を有し、この囲い部分２０１の前面部２０９には、前面開口部２０２が設けられている。開閉シャッタ２０３は中が見えるように透明板であり、開閉シャッタ２０３により前面開口部２０２を開閉可能になっている。この開閉シャッタ２０３は、図１では図示しない駆動部のモータを駆動することで、電動によりＺ方向（上下方向）に移動可能になっている。
【００３３】
囲い部分２０１の内部には、卓状の作業スペース２１０を有し、囲い部分２０１は、前面部２０９と、左右の壁面２１１，２１２と、奥の壁面２１３と、天井面２１４と、底面２１５を有している。作業スペース２１０内では、天井面２１４の内面には照明器具が取り付けられている。前面開口部２０２付近は、囲い部分２０１の内部と外部が、気流によるエアカーテンで仕切られている。
【００３４】
囲い部分２０１では、空気から微粒子を除去するＨＥＰＡフィルタ（高性能フィルタ）等で空気を清浄化して送風し続けるようになっており、前面開口部２０２を通じて囲い部分２０１の内部からＨＥＰＡフィルタを通して外部に向かって空気が吹き出す。この作業台２００は、囲い部分２０１内の作業空間だけをクリーン化して、局所的に空気清浄度を高く保持できるので、作業台２００を配置している部屋全体をクリーン化するのに比べて低コストである。
【００３５】
次に、図１から図３を参照して、消毒装置１の詳しい構造を説明する。
【００３６】
図１と図２に示すように、消毒装置１の本体部２の左側の側面部１３は、囲い部分２０１の右側の壁面２１２と接していて互いに連結されることで、一体構造化されている。図２に示すように、側面部１３には、長方形状の開口部４００が形成されており、壁面２１２には、長方形状の開口部５００が形成されている。これらの開口部４００，５００は重なっている。
【００３７】
図２に示すこれらの開口部４００，５００は、作業台２００内の作業スペース２１０と、消毒装置１の本体部２の内部と、をつなぐための通用口の機能を有している。開口部４００，５００には、開閉扉６００が、Ｚ方向（上下方向）に沿って移動可能に配置されている。この開閉扉６００は、取っ手６０１を有しており、作業者がこの取っ手６０１を掴んでＺ１方向に持つ上げることにより、開口部４００，５００を開けることができる。すなわち、開閉扉６００を上げれば、開口部４００，５００は、消毒装置１の本体部２の内部と、作業台２００の作業スペース２１０内とを結ぶための通用口であり、開閉扉６００は通用口用の開閉部材あるいは開閉扉ともいう。しかし、開閉扉６００により開口部４００，５００を閉じてしまえば、消毒装置１の本体部２の内部と、作業台２００の作業スペース２１０とは、それぞれ隔離された別空間に維持することができる。
【００３８】
図１から図３に示すように、消毒装置１の本体部２の前面部１５には、長方形状の開口部１３０が設けられている。この開口部１３０には、開口部１３０を開閉するための前面開閉部材としての開閉シャッタ１３１が設けられている。作業者は、この開閉シャッタ１３１の取っ手１３２を掴んで、手動でＺ１方向に持ち上げることにより、開口部１３０を開けることができる。開閉シャッタ１３１は、本体部２内が見えるように透明板である。
【００３９】
図２と図３に示すように、消毒装置１の本体部２は、板状の上部延長部１４１と下部延長部１４２を有している。上部延長部１４１と下部延長部１４２は、前面部１５においてＹ方向に、すなわち作業者側に向けて突出して設けられ、開口部１３０の上部と下部にそれぞれ位置されている。
【００４０】
上部延長部１４１の下面側には、上部噴射ノズル２１が下向けて設けられている。この上部噴射ノズル２１は、下部延長部１４２側に向けて消毒剤Ｆを噴射することができる。下部延長部１４２の上面側には、下部噴射ノズル２２が上向けて設けられている。この下部噴射ノズル２２は、上部延長部１４１側に向けて消毒剤Ｆを噴射することができる。
【００４１】
上部噴射ノズル２１と下部噴射ノズル２２のＺ方向の間隔は、作業者の手指から腕の範囲を消毒する場合はもちろんのこと、使用する器具類を消毒する場合に、器具類の大きさに応じて、器具類を消毒剤Ｆにより容易に消毒できるに設定されている。
【００４２】
上部噴射ノズル２１と下部噴射ノズル２２の他に、例えば、図１と図３に示すように、複数の噴射ノズル１７１，１７２，１７３，１７４，１７５が配置されている。
【００４３】
図１と図３に示すように、噴射ノズル１７１，１７２，１７３，１７４，１７５が、本体部２の内部に配置されている。図３に示すように、噴射ノズル１７１は、上面部１１の内面に固定され、噴射ノズル１７２は、本体部２の天板１８０の上に固定されている。この天板１８０の高さは、図１に示す作業台２００の作業スペース２１０の高さよりも低い。図３に示すように、噴射ノズル１７３は、本体部２の側面部１３の内側であって、開口部４００の下の位置に固定されている。図１に示すように、噴射ノズル１７４は、側面部１４の内面に固定されている。図３に示すように、噴射ノズル１７５は、背面部１６の内面に固定されている。
【００４４】
これにより、消毒剤Ｆは、各噴射ノズル１７１，１７２，１７３，１７４，１７５から、本体部２内に入れた作業者の手指や器具類等に噴射することができる。上部噴射ノズル２１と下部噴射ノズル２２と、噴射ノズル１７１，１７２，１７３，１７４，１７５は、作業者の手指や器具類等に消毒剤Ｆを噴射するための噴射部１９を構成している。各噴射ノズルの数や配置位置は、任意に選択できる。
【００４５】
その他に、図３に示すように、本体部２内には、ＵＶ照射ランプ１８５が配置されており、紫外線を照射できる。使用済みの消毒剤Ｆは、本体部２の外側に飛散することがなく、床面等を汚すことが無い。
【００４６】
図４は、図１から図３に示す本体部２に配置されているシステムの構成例を示している。図４に示すシステム構成例では、配管系と電気配線系を明確に区別するために、水と薬剤および消毒剤を通す配管は二重線で示しており、電気信号配線は単線で示している。
【００４７】
図４において、本体部２内には、水タンク３０と、純水製造カートリッジ３１，３２と、薬剤タンク３３が、好ましくは交換可能に収容されている。薬剤タンク３３は、消毒剤原液の薬剤Ｍを収容するための薬剤収容部である。水タンク３０は、希釈液としての水Ｗを収容するための希釈液収容部である。
【００４８】
水タンク３０には、希釈液としての水Ｗを、本体部２の外側から随時追加することができる。薬剤タンク３３には、薬剤Ｍを本体部２の外側から随時追加することができる。これにより、消毒剤Ｆは、作業者が直接調製することなく、本体部２内で随時追加して作製することができる。
【００４９】
純水製造カートリッジ３１，３２は、水タンク３０に対して配管３０Ｂを通じて接続されている。水タンク３０から供給される水Ｗは、純水製造カートリッジ３１，３２によりろ過して純水ＰＷに変えるためのフィルタである。水タンク３０にはエア導入口３０Ａが設けられていることで、水タンク３０には外部のエアを導入することで、水タンク３０内の水Ｗをカートリッジ３１，３２側にスムーズに送ることができる。
【００５０】
図４に示すように、２つのポンプＰ１、Ｐ２が、本体部２内に配置されている。ポンプＰ１は、薬剤タンク３３に対して配管３３Ａにより接続されている。純水製造カートリッジ３２は、配管３２Ａを通じてポンプＰ２に接続されている。薬剤タンク３３には、エア導入口３３Ｂが設けられていることで、薬剤タンク３３には外部のエアを導入することで、薬剤タンク３３内の薬剤ＭをポンプＰ１側にスムーズに送ることができる。
【００５１】
図４に示す２つのポンプＰ１、Ｐ２は、配管３４，３５を介して、それぞれ電磁弁３６，３７に接続されている。電磁弁３６（Ｄ１）は、配管３８と薬剤注入用流量計ＳＦ１を介して、バッファタンク４０に接続されている。同様にして、電磁弁３７（Ｄ２）は、配管３９と純水注入用流量計ＳＦ２を介して、バッファタンク４０に接続されている。
【００５２】
このバッファタンク４０は、指定濃度に希釈された消毒剤Ｆを貯蔵あるいは備蓄するための容器である。ポンプＰ１、Ｐ２と、電磁弁３６，３７と、薬剤注入用流量計ＳＦ１と純水注入用流量計ＳＦ２は、薬剤タンク３３内の薬剤Ｍと水タンク３０とカートリッジ３１，３２を経た純水ＰＷとを、バッファタンク４０内に送って、予め定めた濃度に希釈された消毒剤Ｆを作製するための第１送液部Ｒ１を構成している。
【００５３】
これにより、図４の制御部１００の指令により、ポンプＰ２が駆動すると、水タンク３０内の水Ｗは、純水製造カートリッジ３１，３２を通ることで純水ＰＷに変わる。作製された純水ＰＷは、配管３２Ａと、ポンプＰ２と、配管３５と，電磁弁（Ｄ２）３７と、配管３９と、そして純水注入用流量計ＳＦ２を介して、予め定めた量だけ、バッファタンク４０内に供給することができる。
【００５４】
一方、制御部１００の指令により、ポンプＰ１が駆動すると、薬剤タンク３３内の薬剤Ｍは、配管３３Ａと、ポンプＰ１と、配管３４と、電磁弁（Ｄ１）３６、配管３８と、そして薬剤注入用流量計ＳＦ１を介して、予め定めた量だけ、バッファタンク４０内に供給することができる。なお、ポンプＰ２が作動すると、薬剤タンク３３内には、ポンプＰ２からは配管３３Ｂを通じてエアを送ることができるので、薬剤タンク３３内の薬剤ＭをポンプＰ１側に吸引し易くなる。
【００５５】
これにより、バッファタンク４０内では、予め定めた量の消毒剤原液の薬剤Ｍと、予め定めた量の希釈液としての純水ＰＷとを混合することにより、バッファタンク４０内には、指定濃度の消毒剤Ｆ、例えば７０％アルコール水溶液を調製して貯蔵しておくことができる。このように、バッファタンク４０は、予め定めた濃度の消毒剤Ｆを収容するための消毒剤収容部である。なお、すでに説明したように、水タンク３０には、希釈液としての水Ｗを、本体部２の外側から随時追加でき、薬剤タンク３３には、薬剤Ｍを本体部２の外側から随時追加できるので、消毒剤Ｆは、作業者が直接調製することなく、本体部２内で随時追加して作製することができる。
【００５６】
図４に示すように、薬剤タンク３３には、タンク水位センサＳＬ１が配置され、水タンク３０には、タンク水位センサＳＬ２が配置され、そしてバッファタンク４０には、タンク水位センサＳＬ３が配置されている。制御部１００は、タンク水位センサＳＬ１〜ＳＬ３からの水位レベル信号を受けることにより、薬剤タンク３３内の薬剤Ｍの貯蔵レベルと、水タンク３０内の水Ｗの貯蔵レベルと、そしてバッファタンク４０内の消毒剤Ｆの貯蔵レベルを、常時監視することができる。
【００５７】
もし、薬剤タンク３３内の薬剤Ｍの貯蔵レベルと、水タンク３０内の水Ｗの貯蔵レベルと、そしてバッファタンク４０内の消毒剤Ｆの貯蔵レベルのいずれか１つが、予め定めたレベルよりも低下した場合には、制御部１００は、警報を出す警報部２５０に指令をして、警報を出すようになっている。この警報部２５０は、例えば音声で警報を発するスピーカや、音で警報を発するブザーなどである。
【００５８】
図４に示すバッファタンク４０は、配管４１を通じてポンプＰ３に接続され、ポンプＰ３は、配管４２と濾過滅菌フィルタ４３を通じて、電磁弁４４（Ｄ３）と電磁弁４４Ｂ（Ｄ４）に接続されている。この電磁弁４４は、配管４５，４６とノズル流量監視用流量計ＳＦ３を通じて、それぞれ上部噴射ノズル２１と下部噴射ノズル２２に接続されている。電磁弁４４Ｂは、配管４６とノズル流量監視用流量計ＳＦ４を通じて、噴射ノズル１７１，１７２，１７３，１７４，１７５に接続されている。これらのポンプＰ３と、フィルタ４３と、電磁弁４４，４４Ｂと、ノズル流量監視用流量計ＳＦ３、ＳＦ４は、バッファタンク４０内の消毒剤Ｆを、上部噴射ノズル２１と下部噴射ノズル２２と噴射ノズル１７１，１７２，１７３，１７４，１７５に送液するための第２送液部Ｒ２を構成している。
【００５９】
図４の制御部１００の指令により、ポンプＰ３が駆動すると、バッファタンク４０内の消毒剤Ｆは、ポンプＰ３と、配管４２と、濾過滅菌フィルタ４３と、電磁弁４４と、配管４５，４６とノズル流量監視用流量計ＳＦ３を介して、噴射部１９の上部噴射ノズル２１と下部噴射ノズル２２とから噴射することができる。上部噴射ノズル２１と下部噴射ノズル２２から噴射された消毒剤Ｆは、使用済みの消毒液として、本体部２の外に飛散しないようにして消毒剤受け部２５に集められて、例えば回収タンク４７に回収できるようになっている。
【００６０】
しかも、制御部１００の指令により、ポンプＰ３が駆動すると、バッファタンク４０内の消毒剤Ｆは、ポンプＰ３と、配管４２と、濾過滅菌フィルタ４３と、電磁弁４４と、配管４５，４６とノズル流量監視用流量計ＳＦ４を介して、噴射ノズル１７１〜１７５から噴射することができる。噴射ノズル１７１，１７２，１７３，１７４，１７５から噴射された消毒剤Ｆは、使用済みの消毒液として、本体部２の外に飛散しないようにして消毒剤受け部１８０に集められて、例えば回収タンク４７に回収できるようになっている。この回収タンク４７は、本体部２内にあっても良いし、本体部２の外部にあっても良い。
【００６１】
図４に示す筒状の純水製造カートリッジ３１，３２と角柱状の薬剤タンク３３と水タンク３０とバッファタンク４０は、本体部２の内部に配置されている。これらの純水製造カートリッジ３１，３２と薬剤タンク３３と水タンク３０とバッファタンク４０は、例えば本体部２に開閉ドアを設けることで、本体部２内から取り出して交換したり、メンテナンスを行うことができる。
【００６２】
図４に示す制御部１００は、電源部１０１に電気的に接続されており、電源部１０１は、商用交流電源１０２から電源電圧を所定の電圧に変換して、制御部１００に電源供給する。電源部１０１は、起動用の主電源スイッチ１０３に接続されている。制御部１００には、消毒動作開始スイッチ１０４と足踏みスイッチ１０５が接続されており、主電源スイッチ１０３を押した後に、この開始スイッチ１０４を押すか足踏みスイッチ１０５を足で踏み込むことにより、制御部１００は、ポンプＰ３と電磁弁４４を駆動して、バッファタンク４０内の消毒剤Ｆを、上部噴射ノズル２１と下部噴射ノズル２２と噴射ノズル１７１，１７２，１７３，１７４，１７５側に供給するようになっている。
【００６３】
ここで、噴射ノズル１７１，１７２，１７３，１７４，１７５は開始スイッチ１０４で噴射し、上部噴射ノズル２１と下部噴射ノズル２２は足踏みスイッチ１０５で噴射するようにしても良く、あるいは、足踏みスイッチ１０５を踏んだ状態でのみ開始スイッチ１０４が作動するようにしても良い。
【００６４】
ところで、図４に示す水タンク３０、カートリッジ３１，３２、薬剤タンク３３、第１送液部Ｒ１、バッファタンク４０、第２送液部Ｒ２は、本体部２内において、消毒剤Ｆを作製する消毒剤作製部を構成している。
【００６５】
図４に示すように、制御部１００は、駆動部７００に指令を与えて駆動することで、図１に示す作業台２００の開閉シャッタ２０３をＺ方向に上下移動可能である。制御部１００は、ＵＶ照射ランプ１８５の点灯を行う。
【００６６】
次に、上述した消毒装置１の使用例を、図５を参照して説明する。図５は、作業装置１０００の消毒装置１を用いて、作業者の手指や実験器具等の器具類を消毒して、作業装置１０００の作業台２００により作業する手順の例を示している。
【００６７】
図４に示すバッファタンク４０内には、すでに予め定めた濃度の、例えば７０％アルコール水溶液である消毒剤Ｆが収容されている。
【００６８】
作業者は、図１に示す作業台２００における前準備として、作業台２００内の図示しないＵＶ（紫外線）ランプを消して、蛍光灯と点灯し、ファンを回す。そして、作業台２００の開閉シャッタ２０３を少し上げて、前面開口部２０２を、手を通して操作に差し障りが無い程度に開ける。作業者は、作業台２００の作業スペース２１０を、例えば７５％エタノールのような消毒液を用いて、きれいに拭いて消毒して、開閉シャッタ２０３を下げて前面開口部２０２を閉めておく。
【００６９】
図１に示す消毒装置１に戻ると、図５のステップＳＴ１では、作業者は、消毒装置１の本体部２内に、器具類を搬入する。作業者が、図４に示す主電源スイッチ１０３を押して消毒装置１を起動して、消毒動作開始スイッチ１０４を押すか、足踏みスイッチ１０５を足で踏み込む。このため、図４の制御部１００は、ポンプＰ３と電磁弁４４を駆動して、バッファタンク４０内の消毒剤Ｆは、上部噴射ノズル２１と下部噴射ノズル２２と噴射ノズル１７１，１７２，１７３，１７４，１７５から噴射される。
【００７０】
これにより、上部噴射ノズル２１と下部噴射ノズル２２と噴射ノズル１７１，１７２，１７３，１７４，１７５から噴射される消毒剤Ｆは、これらの器具類を確実に消毒することができる。消毒した器具類は、本体部２内にこのまま置いておく。
【００７１】
次に、図５のステップＳＴ２では、作業者は、手指から腕までの範囲を例えば上部噴射ノズル２１と下部噴射ノズル２２の間に挿入することで、手指から腕の範囲を消毒剤Ｆにより、確実に消毒する。
【００７２】
図５のステップＳＴ３では、図１の作業台２００の開閉シャッタ２０３を上げて、前面開口部２０２を開ける。ステップＳＴ４では、作業者が、図２に示す開閉扉６００の取っ手６０１を掴んでＺ１方向に持つ上げることにより、開口部４００，５００を開ける。これにより、作業台２００の作業スペース２１０と消毒装置１の本体部２内とは、開口部４００，５００を介してつながる。
【００７３】
そして、作業者は、作業台２００の作業スペース２１０内に消毒済みの手を入れて、作業スペース２１０から開口部４００，５００に手を入れて、消毒装置１の本体部２内に置かれている消毒済みの器具類を、消毒装置１の本体部２内から開口部４００，５００を通じて、作業台２００の作業スペース２１０内に搬入する。
【００７４】
そして、図５のステップＳＴ５では、作業者は、作業台２００において、消毒済みの器具類を用いて、実験や試験等の作業を開始する。このように、作業者は、手指から腕までの範囲を一度消毒すれば、作業台２００の作業スペース２１０内に手を入れて、消毒装置１の本体部２内から、開口部４００，５００を通じて消毒装置１の本体部２内の消毒済みの器具類を、作業台２００の外部や消毒装置１の本体部２の外部を通さずに、作業スペース２１０内へ直接搬入することができる。
【００７５】
このため、作業者は、一度、手指から腕までの範囲を消毒すれば、消毒装置１の本体部２内の消毒済みの器具類を、作業台２００の作業スペース２１０内に、簡単に移して必要な作業に移ることができる。作業者は、手指や器具類の消毒作業の後に、実験や作業を能率良く行うことができ、作業装置１０００の使用勝手を向上することができる。このため、消毒装置１の使用勝手とその後の作業台２００への器具類の搬入作業性が良い。
【００７６】
ところで、図４の制御部１００は、タンク水位センサＳＬ１〜ＳＬ３からの水位レベル信号を受けることにより、薬剤タンク３３内の薬剤Ｍの貯蔵レベルと、水タンク３０内の水Ｗの貯蔵レベルと、そしてバッファタンク４０内の消毒剤Ｆの貯蔵レベルを、常時監視している。
【００７７】
このため、薬剤タンク３３内の薬剤Ｍの貯蔵レベルが予め定めたレベルよりも下がれば、警報部２５０は薬剤Ｍの追加要求の警報を出すことができる。水タンク３０内の水Ｗの貯蔵レベルが予め定めたレベルよりも下がれば、警報部２５０は水Ｗの追加要求の警報を出すことができる。そして、バッファタンク４０内の消毒剤Ｆの貯蔵レベルが予め定めたレベルよりも下がれば、警報部２５０は消毒剤Ｆの追加作製の要求の警報を出す。制御部１００は、図４の第１送液部Ｒ１を作動して薬剤タンク３３内の薬剤Ｍと、水タンク３０内の水Ｗから製造した純水ＰＷとを、バッファタンク４０内に送ることで、例えば７０％アルコール水溶液Ｆをバッファタンク４０内に貯蔵することができる。
【００７８】
上述したように、本発明の実施形態の消毒装置１を用いると、消毒剤Ｆは、消毒装置１の内部で調製されてバッファタンク４０において貯蔵されているので、従来のように作業台で実験等の作業を行う度に、作業者が消毒剤を調製してその消毒剤を噴霧容器（スプレ容器）に入れる作業と、手指から腕までの範囲と、器具類に対して、手動で消毒剤を噴霧して消毒するといった煩わしい作業を行う必要が無くなる。すなわち、従来では、作業者は、純水の調製を行い、この純水と消毒剤の原液を希釈して混合して消毒剤を作製する作業を行った後に、消毒剤を噴霧容器内に入れる。そして、作業者は、作製した消毒剤を調製して手指から腕までの範囲と、器具類に対して、手動で消毒剤を噴霧容器から噴霧して消毒する必要がある。しかも、噴霧した消毒剤が付近に飛散するので、床面が消毒剤で汚れてしまう。
【００７９】
従来、消毒剤を入れた噴霧容器を用意して、作業者が、手指から腕までの範囲と、器具類に対して噴霧容器内の消毒剤を手動で噴霧する際には、作業台の付近に配置されたキャビネットの上に消毒が必要な器具類を置いて消毒作業を行っている。もし、作業台の付近にこのキャビネットを置いていない場合には、器具類を消毒する度に器具類を作業台に取りにいかなければならないで、作業動線が長くなってしまう。
【００８０】
従来では、消毒剤を噴霧容器からスプレー噴霧するだけではなく、消毒剤を液体で使用するために脱脂綿に消毒剤を浸して器具類を消毒する場合に、脱脂綿用の液体の消毒剤を準備するのが煩わしい。複数人の作業者が、噴霧容器内の消毒剤を使用すると、消毒剤の原液が不足する場合がある。
【００８１】
本発明の実施形態の消毒装置１を用いることにより、次のような効果がある。消毒装置１の本体部２は、複数個の噴射ノズル、図示例では、上部噴射ノズル２１と下部噴射ノズル２２と噴射ノズル１７１，１７２，１７３，１７４，１７５を配置している。しかも、上部噴射ノズル２１と下部噴射ノズル２２の間には、図３に示すように、手指から腕の範囲や、比較的大きな器具類であっても、挿入して消毒できる空間ＳＰ１を有し、噴射ノズル１７１，１７２，１７３，１７４，１７５の間には、手指から腕の範囲や、比較的大きな器具類であっても、挿入して消毒できる空間ＳＰ２を有している。このため、作業者は、手指から腕の範囲や、比較的大きな器具類を、空間ＳＰ１、ＳＰ２に挿入して、消毒剤Ｆを自動的に噴霧できるので、手指から腕の範囲や、比較的大きな器具類は、確実に消毒できる。
【００８２】
また、消毒に使用した消毒剤Ｆは、図４に示すように、消毒剤受け部２５，１８０により受けて、回収タンク４７に回収することができる。これにより、使用済みの消毒剤Ｆが周囲に飛散して、床面を汚してしまうことを防止できる。
【００８３】
本発明の実施形態の作業装置１０００は、器具類を用いて作業を行うための囲い付きの作業台２００と、作業台に配置され作業者の手指と器具類を消毒するための消毒装置１とを有し、消毒装置は１、本体部２と、本体部２内に配置されて、消毒剤Ｆを作製する消毒剤作製部と、本体部２内に配置されて、手指と器具類に消毒剤作製部からの消毒剤Ｆを噴射するための噴射部とを有し、作業台と本体部との間には、開口部が設けられ、開口部を開閉するための開閉部材を有することを要旨とする。
【００８４】
これにより、作業者は、消毒装置の本体部内にて手指や器具類を入れることで、消毒を行うことができ、消毒済みの器具類は、作業台の内部から作業台と本体部との間の開口部を通じて、消毒装置の本体部内に手を入れて本体部内にある消毒済みの器具類を作業台内に搬入することができる。これにより、手指や器具類の消毒作業の後に消毒した器具類を容易に搬入することができ、使用勝手を向上することができる。このため、消毒装置の使用勝手とその後の作業台への器具の搬入作業性が良い。
【００８５】
本体部２の消毒剤作製部は、薬剤を収容する薬剤収容部と、希釈液を収容する希釈液収容部と、薬剤収容部の薬剤と希釈液収容部の希釈液を送るための第１送液部と、第１送液部により送られた薬剤を第１送液部により送られた希釈液により希釈することで得られる消毒剤を収容する消毒剤収容部と、消毒剤収容部の消毒液を送るための第２送液部と、第２送液部により送られた消毒剤を噴射する噴射部を有する。これにより、本体部では、薬剤収容部の薬剤と希釈液収容部の希釈液を混合することで、予め定めた消毒剤を作って消毒剤収容部にこの消毒剤を収容しておくことができる。そして、消毒剤は、噴射部から手指や器具類に噴射することで消毒できる。薬剤と希釈液を用意して薬剤収容部と希釈液収容部にそれぞれ収容しておけば、作業者が直接消毒剤を作る必要が無く、手指や器具類の消毒作業を行う際の使用勝手を向上することができる。
【００８６】
本体部２の前面側の開口部１３０を開閉可能な前面開閉部材（前面シャッタ１３１）が設けられている。これにより、本体部の前面側の開口部は、前面開閉部材により開けることで、作業者の手指や器具類は、開口部を通じて本体部内に入れて消毒をすることができる。手指や器具類を消毒しない場合には、前面側の開口部は、前面開閉部材により閉じておくことで、本体部の内部は、ほこりなどが入らないように清潔に維持することができる。
【００８７】
本体部２の噴射部１９から噴射された消毒剤を受けるための消毒剤受け部２５，１８０が、設けられている。これにより、使用済みの消毒剤は、消毒剤受け部により受けることで、消毒剤が周囲や床面に飛び散ることが無くなるので、飛び散った消毒剤を拭き取る作業が不要になる。
【００８８】
希釈液収容部は希釈液としての水Ｗを収容しており、本体部２は、水Ｗを純水ＰＷにするカートリッジ３１，３２を有している。これにより、カートリッジは、水を純水に変えることができるので、通常の水道水などの水を希釈液として使用できる。
【００８９】
以上、実施形態を挙げて本発明を説明したが、各実施形態は一例であり、特許請求の範囲に記載される発明の範囲は、発明の要旨を逸脱しない範囲内で種々変更できるものである。
【００９０】
図１〜図３に示すように、消毒装置１は、消毒剤Ｆを噴射するために、上部噴射ノズル２１と下部噴射ノズル２２と噴射ノズル１７１，１７２，１７３，１７４，１７５を配置しているが、噴射ノズルの配置位置や配置数は図示例に限らず、任意に選択することができる。
【００９１】
図示の実施形態では、指定濃度の消毒剤Ｆは、例えば７０％アルコール水溶液を採用しているのが、これに限らず、次のような消毒剤を調製しても良い。消毒剤（消毒液）Ｆは、アルコール（６０〜９５％）、例えばイソプロパノール、エタノール、Ｎ−プロパノール、クロロキシレノール（０．３〜３．７５％）、ヨードホール（７．５〜１０％）、第４級アンモニア化合物（塩化ベンザルコニウム）、トリクロサン（０．２〜２％）等であり、医療現場や研究現場で使用することができる。
【００９２】
なお、本実施形態では、消毒剤を噴霧して、有害微生物等の除去を含めた殺菌、消毒する場合について、説明したが、噴射量を多くして付着物を流し落とし洗浄して消毒するようにしても良い。
【符号の説明】
【００９３】
１      消毒装置
２      本体部
１９    噴射部
２０    上部アーム部
２１    上部噴射ノズル（噴射部）
２２    下部噴射ノズル（噴射部）
３０    水タンク（希釈液収容部）
３１，３２    純水製造カートリッジ
３３    薬剤タンク（薬剤収容部）
４０    バッファタンク（消毒剤収容部）
１３１  開閉シャッタ（前面開閉部材）
１７１〜１７５  噴射ノズル（噴射部）
２００  作業台
６００  開閉扉（通用口の開閉部材）
１０００  作業装置
Ｗ      水（希釈液）
ＰＷ    純水（希釈液）
Ｆ      消毒剤
Ｍ      薬剤
Ｒ１    第１送液部
Ｒ２    第２送液部
【図１】
2014161702.tif 000003
【図２】
2014161702.tif 000004
【図３】
2014161702.tif 000005
【図４】
2014161702.tif 000006
【図５】
2014161702.tif 000007